(57)【要約】      （修正有）【課題】建設作業現場等に設置される枠組足場に取付ける足場用巾木を提供する。【解決手段】長方形板１からなる第１の巾木の一側端面１ａに第１接続用金具２を取り付けると共に、前記第１の巾木の他側端面１ｂに、第２接続用金具３を取り付けて足場用巾木を構成する。足場への取付けは、第１の足場用巾木の第１接続用金具を足場の支柱である縦柱に係止し、第１接続用金具側にバネ体４により付勢されている第２接続用金具を引き出し、隣接している足場の支柱である縦柱に係止させ、第２の足場用巾木の第１接続用金具を、上記手順で配設されている第１の足場用巾木の第２接続用金具が係止されている足場の支柱である縦柱の外側を介し、第１の足場用巾木の第２接続用金具の直線部分の両内側を通す。さらに、第２接続用金具の先端係止部分と第１接続用金具の先端係止部分とを係合させ、第２の足場用巾木の第１接続用金具側にバネ体により付勢されている第２接続用金具を引き出し、次に隣接された足場の支柱である縦柱に係止し、順次配設していく。【選択図】図１
0003166687.tif 000002
【実用新案登録請求の範囲】
【請求項１】
長方形板からなる第１の巾木の一側端面に第１接続用金具を取り付け、第１の巾木の他側端面に第２接続用金具を取り付けた構成の足場用巾木を複数有し、且つ、連結して一列配設することにより、配設された足場用巾木の第２接続用金具と、次に配設する足場用巾木の第１接続用金具が、足場の支柱である縦柱を互いに絡み合い巻き込むように係合一体化させて保持する足場用巾木であり、第１接続用金具は、金属製線材をＵ字形状に曲げ加工して、その両端を、幅方向に起立させた第１の巾木の一側端面の中心を境に上部側と下部側に固定し、更にその固定されたＵ字形状の金属製線材を、足場の支柱である縦柱を覆うように、Ｌ字形状に折り返し先端係止部分を形成したもので、第２接続用金具は、金属製線材をＵ字形状に曲げ加工して、その両端を、第１の巾木の第１接続用金具を取り付けた一側端面と反対側の他側端面の中心を境に上部側と下部側にバネ体により、第１接続用金具側に付勢されるように取り付け、その取り付けられたＵ字形状の金属製線材を足場の支柱である縦柱を巻き込むようにＪ字形状に折り返し、第１の巾木の第２接続用金具を取り付けた側端面に近い直線部分は、隣り合い配設する第２の巾木の第１接続用金具の両外側を通過する幅で、先端に向けてのアール部分で第１接続用金具の両内側を通過するように狭めた幅であり、先端部分は、第１接続用金具のＬ字形状に折り返された先端係止部分に係合させるように、更に外側に折り返した先端係止部分を形成したものであることを特徴とする足場用巾木。
【請求項２】
金属製線材をＵ字形状に曲げ加工し、その両端をリング状に曲げ加工して、そのＵ字形状の金属製線材を足場の支柱である縦柱を巻き込むようにＪ字形状に折り返し、リング状に曲げ加工した両端部分は、第１接続用金具の両外側を通過する幅で、先端に向けてのアール部分で第１接続用金具の両内側を通過するように狭めた幅であり、先端部分は、第１接続用金具のＬ字形状に折り返された先端係止部分に係合させるように、更に外側に折り返した先端係止部分を形成した第３金具と、金属製線材の棒状体の上部にリングを設けた端部保持用ピンを備え持ち、配設されている足場用巾木の始点側の第１接続用金具の先端係止部分と第３金具の先端係止部分を係合して、足場の支柱である縦柱を巻き込むように取り付けると共に、第３金具のリング状に曲げ加工された両端部分に上記端部保持用ピンを差し込み保持する始端側金具と、金属製線材をＵ字形状に曲げ加工し、その両端をリング状に曲げ加工して、第２接続用金具の先端係止部分と係合する先端係止部分を持ち、第２接続用金具の両外側を通過する幅を形成した第４金具と、金属製線材の棒状体の上部にリングを設けた端部保持用ピンを備え持ち、配設されている足場用巾木の終点側の第２接続用金具の先端係止部分と第４金具の先端係止部分を係合し、足場の支柱である縦柱を取り込むように取り付けると共に、第４金具のリング状に曲げ加工された両端部分に上記端部保持用ピンを差し込み保持する終端側金具とを備え持つ請求項１記載の足場用巾木。
【請求項３】
前記端部保持用ピンを、前記終端側金具から、抜脱不能に保合一体させる施錠を更に設けてなる請求項２記載の足場用巾木。
【考案の詳細な説明】
【技術分野】
【０００１】  本考案は、建設作業現場等に設置される枠組足場に取付ける足場用巾木に関するものである。
【背景技術】
【０００２】  建設作業現場等に設置される枠組足場での足場板上での高所作業では、ボルト、ナット、金具類等の様々な施工用物品や工具類、足下に置いた各種資材や用具等の落下及び、足場利用者の墜落を防止する為に、墜落防止措置が必要である。【０００３】  枠組足場においても、墜落防止措置として、従来から足場板の側縁に巾木を取付けることは行われているが、取り付け方法としては定まったものはなく、例えば帯状の板材を足場板の側縁に堰板状に立てて枠組足場の支柱に、ゴムバンドもしくは、なまし鉄線にて縛り付けている。【０００４】  しかしながらこのような方法では、巾木の取り付けと取り外しに時間と労力を要して施工性が悪い上、取り外し時のなまし鉄線の切り屑等が発生するとともに、取付状態の安定性及び、信頼性も不十分であり、専用の工具も必要となる。【０００５】  そこで、かかる不都合を解消し、枠組足場に工具を必要とせず、ワンタッチ式に取り付けられる巾木として、下記特許文献１に示すものがある。これは、巾木本体の端部外面で巾木本体の長さ方向に、足場のパイプへの固定部材として下向きの垂直フックと、水平フックとを突設し、水平フックはスライド杆により横スライド可能とし、垂直フックと、水平フックとは、板状体にＵ字形の切欠きに形成し、切欠き内周に突起状段差を対抗するように形成して、切欠き入口に狭隘部を設け、前記水平フックは、巾木本体にバネ部材で出没自在に取り付けられ、前記巾木本体は、垂直板の上部を外側に下向きのＬ字形に折り曲げ、下端の僅か上部に内側に向く水平突片を設けて足場板への載置部とした足場板用巾木とされている。
【特許文献１】特開２０１０−２４８７２８
【考案の概要】
【考案が解決しようとする課題】
【０００６】  前記従来技術では、巾木をワンタッチ的に取り付けられるものではあるが、枠組足場の支柱である縦柱に水平フック、足場板を架ける水平パイプに垂直フックにて取り付けられるものであって、足場板が不意に巾木設置箇所より足場内側に水平移動した場合、巾木本体が垂直状態を維持できず、傾斜してしまい、建造物と足場利用者との離隔距離が遠くなってしまう。【０００７】  なお、傾斜状態となってしまった巾木に、足場利用者が不意に乗ってしまい、転倒及び、墜落する恐れも考えられ、また、工事中での足場利用時に、簡単に中間部の巾木を取り外す事が出来てしまい、不慮の事故発生が懸念される。【０００８】  本考案は前記従来例の不都合を解消するのもとして、簡単な構造で従来の枠組足場を改良せずに巾木が確実に保持され、保持後は外力が加わっても外れる恐れがなく、取り付けも工具を必要とせず、ワンタッチ的に、簡単に巾木本体の垂直状態を保持して配設でき、配設完了後は、管理の元でしか、取り外しする事が出来ない足場用巾木を提供するものである。
【課題を解決するための手段】
【０００９】  本考案は、長方形板からなる第１の巾木の一側端面に第１接続用金具を取り付けると共に、前記第１の巾木の他側端面に、第２接続用金具を取り付けて構成された足場用巾木である。【００１０】  前記足場用巾木を複数有し、且つ、連結して一列配設することにより、配設された足場用巾木の第２接続用金具と、次に配設する足場用巾木の第１接続用金具が、足場の支柱である縦柱を互いに絡み合い巻き込むように係合一体化させて保持する。【００１１】  第１接続用金具は、金属製線材をＵ字形状に曲げ加工して、その両端を、横方向に起立させた第１の巾木の一側端面の中心を境に上部側と下部側に固定し、更にその固定されたＵ字形状の金属製線材を、足場の支柱である縦柱を覆うように、Ｌ字形状に折り返し先端係止部分を形成したものである。【００１２】  第２接続用金具は、金属製線材をＵ字形状に曲げ加工して、その両端を、前記第１の巾木の前記第１接続用金具を取り付けた側端面と反対側の他側端面の中心を境に上部側と下部側にバネ体により、前記第１接続用金具側に付勢されるように取り付け、その取り付けられたＵ字形状の金属製線材を足場の支柱である縦柱を巻き込むようにＪ字形状に折り返し、前記第１の巾木の第２接続用金具を取り付けた側端面に近い直線部分は、隣り合い配設する第２の足場用巾木の前記第１接続用金具の両外側を通過する幅で、先端に向けてのアール部分で前記第１接続用金具の両内側を通過するように狭めた幅であり、先端部分は、前記第１接続用金具のＬ字形状に折り返された先端係止部分に係合させるように、更に外側に折り返した先端係止部分を形成したものである。【００１３】  始点側は、金属製線材をＵ字形状に曲げ加工し、その両端をリング状に曲げ加工して、そのＵ字形状の金属製線材を足場の支柱である縦柱を巻き込むようにＪ字形状に折り返し、リング状に曲げ加工した両端部分は、前記第１接続用金具の両外側を通過する幅で、先端に向けてのアール部分で前記第１接続用金具の両内側を通過するように狭めた幅であり、先端部分は、前記第１接続用金具のＬ字形状に折り返された先端係止部分に係合させるように、更に外側に折り返した先端係止部分を形成した第３金具と、金属製線材の棒状体の上部にリングを設けた端部保持用ピンを備え持ち、配設されている前記足場用巾木の始点側の前記第１接続用金具の先端係止部分と上記第３金具の先端係止部分を係合して、足場の支柱である縦柱を巻き込むように取り付けると共に、上記第３金具のリング状に曲げ加工された両端部分に上記端部保持用ピンを差し込み保持する始端側金具を使用する。【００１４】  終点側は、金属製線材をＵ字形状に曲げ加工し、その両端をリング状に曲げ加工して、第２接続用金具の先端係止部分と係合する先端係止部分を持ち、第２接続用金具の両外側を通過する幅を形成した第４金具と、金属製線材の棒状体の上部にリングを設けた端部保持用ピンとを備え持ち、配設されている前記足場用巾木の終点側の前記第２接続用金具の先端係止部分と上記第４金具の先端係止部分を係合し、足場の支柱である縦柱を取り込むように取り付けると共に、上記第４金具のリング状に曲げ加工された両端部分に上記端部保持用ピンを差し込み保持する終端側金具を使用する。【００１５】  配置完了後は、前記端部保持用ピンを、前記終端側金具から、抜脱不能に保合一体させる施錠をして管理することで、管理の元でしか、取り外す事が出来ないことを要旨とするものである。【００１６】  足場への取付けは、第１の足場用巾木の第１接続用金具を足場の支柱である縦柱に係止し、第１接続用金具側にバネ体により付勢されている第２接続用金具を引き出し、隣接している足場の支柱である縦柱に係止させ、第２の足場用巾木の第１接続用金具を、上記手順で配設されている第１の足場用巾木の第２接続用金具が係止されている足場の支柱である縦柱の外側を介し、第１の足場用巾木の第２接続用金具の直線部分の両内側を通し、第２接続用金具の先端係止部分と第１接続用金具の先端係止部分とを係合させ、第２の足場用巾木の第１接続用金具側にバネ体により付勢されている第２接続用金具を引き出し、次に隣接された足場の支柱である縦柱に係止し、順次配設していく足場用巾木である。【００１７】  一方向から連結して足場用巾木を一列配設することにより、第１の足場用巾木の第２接続用金具と、隣接して配設される第２の足場用巾木の第１接続用金具が、足場の支柱である縦柱を互いに絡み合い巻き込むように係合一体化して保持されているため、垂直状態を保持でき、中間での取り外しが出来ない足場用巾木である。【００１８】  始点側は、第３金具である始端側金具を取り付けると共に、前記端部保持用ピンを差し込み保持し、終点部は、第４金具である終端側金具を取り付けると共に、前記端部保持用ピンを差し込み保持して、差し込まれた端部保持用ピンを上記終端側金具から、抜脱不能に保合一体させる施錠し管理することで、妄りに取り外す事が出来ない足場用巾木である。【００１９】  収納時に足場用巾木を段積みにする時、互い違いに積み重ねることで、第１接続用金具と第２接続用金具が噛み合い荷崩れを起こさず、水平に無駄なく、積み重ねられる足場用巾木である。
【考案の効果】
【００２０】  以上述べたように本提案の足場用巾木は、長方形板からなる巾木の両側端面に、金属製線材を曲げ加工した接続用金具を取り付けただけの簡単な構造であり、従来の枠組足場を改良しなくても、工具を必要とせず配設でき、連結して一列配設することにより、接続用金具同士が足場の支柱である縦柱を互いに絡み合い巻き込むように係合一体化させて固定することによって、中間部での取り外しが出来なくなり、足場用巾木の垂直状態が保持され、固定後は、外力が加わっても外れる恐れがないという効果がある。
【図面の簡単な説明】
【００２１】
【図１】本考案の足場用巾木の斜視図である。
【図２】本巾木の配設完了時の側面図である。
【図３】本巾木の配設完了時の正面図である。
【図４】本巾木の一部省略詳細図であり（ａ）は断面図、（ｂ）は正面図である。
【図５】本巾木の一部省略始端部詳細図であり（ａ）は平面図、（ｂ）は正面図である。
【図６】本巾木の一部省略中間部詳細図であり（ａ）は平面図、（ｂ）は正面図である。
【図７】本巾木の一部省略終端部詳細図であり（ａ）は平面図、（ｂ）は正面図である。
【図８】本巾木の一部省略終端部施錠の詳細図であり（ａ）は平面図、（ｂ）は側面図である。
【図９】本巾木の一部省略中間部係合状況の詳細平面図であり（ａ）、（ｂ）、（ｃ）、（ｄ）は係合の手順図である。
【考案を実施するための最良の形態】
【００２２】  以下、図面について本考案の実施形態を詳細に説明する。【００２３】  図１は、本提案の足場用巾木の斜視図で１は長方形板からなる巾木、２は接続用金具Ａ、２ａは２の先端係止部分、１ａは１の側端面であり２を取り付ける側端面、３は接続用金具Ｂ、３ａは３の直線部分、３ｂは３のアール部分、３ｃは３の先端係止部分、１ｂは１の他側端面であり３を取り付ける側端面、４は３を２の取り付けた側端面側に付勢させる為のバネ体である。【００２４】  図２は枠組足場に本考案の足場用巾木を配置完了時の側面図であり、図３は建造物側から望んだ枠組足場に本考案の足場用巾木を配置完了時の正面図である。【００２５】  図４は本考案の足場用巾木を枠組足場に配置完了時の始点部、中間部、終点部を含む一部省略の詳細図で、（ａ）は上方より望んだ平面図で（ｂ）のＡ−Ａ矢視図であり、（ｂ）は建造物側から望んだ正面図である。【００２６】  図５は本考案の足場用巾木を枠組足場に配置完了時の始点部の一部省略の詳細図で、（ａ）は上方より望んだ平面図で（ｂ）のＢ−Ｂ矢視図であり、（ｂ）は建造物側から望んだ正面図である。【００２７】  図６は本考案の足場用巾木を枠組足場に配置完了時の中間部の一部省略の詳細図で、（ａ）は上方より望んだ平面図で（ｂ）のＣ−Ｃ矢視図であり、（ｂ）は建造物側から望んだ正面図である。【００２８】  図７は本考案の足場用巾木を枠組足場に配置完了時の終点部の一部省略の詳細図で、（ａ）は上方より望んだ平面図で（ｂ）のＤ−Ｄ矢視図であり、（ｂ）は建造物側から望んだ正面図である。【００２９】  図８は本考案の足場用巾木を枠組足場に配置完了後、終端部に鍵を取り付けた一部省略の詳細図で、（ａ）は上方より望んだ平面図で（ｂ）のＥ−Ｅ矢視図であり、（ｂ）は終点側より望んだ側面図である。【００３０】  図９は本考案の足場用巾木の中間部係合状況の手順を（ａ）、（ｂ）、（ｃ）、（ｄ）の順に、上方より望んだ平面図である。【００３１】  以下、本考案に記載されている丸鋼とは、被覆鋼線等を含む金属製線材をいう。【００３２】  長方形板からなる１の巾木の１ａの側端面に２の接続用金具Ａを取り付けると共に、１ｂの他側端面に３の接続用金具Ｂを取り付けて構成された足場用巾木である。【００３３】  ２の接続用金具Ａは、丸鋼をＵ字形状に曲げ加工して、その両端を、幅方向に起立させた１の巾木の１ａの側端面の中心を境に上部側と下部側に差し込み１０のストッパーにて固定し、更にその固定されたＵ字形状の丸鋼を足場の支柱である８の足場の縦柱を覆うように、Ｌ字形状に折り返し、２ａの先端係止部分を形成したものである。【００３４】  ３の接続用金具Ｂは、丸鋼をＵ字形状に曲げ加工して、その両端を、１の巾木の１ａの側端面と反対側の１ｂの他側端面の中心を境に上部側と下部側に差し込み４のバネ体により、２の接続用金具Ａ側に付勢されるように、１０のストッパーにて取り付け、その取り付けられたＵ字形状の丸鋼を、足場の支柱である８の足場の縦柱を巻き込むようにＪ字形状に折り返し、１ｂの側端面に近い３ａの直線部分は、隣り合い配設する足場用巾木の２の接続用金具Ａの両外側を通過する幅で、先端に向けての３ｂのアール部分で２の接続用金具Ａ���両内側を通過するように狭めた幅とし、先端部分は、２の接続用金具ＡのＬ字形状に折り返された２ａの先端係止部分に係合させるように、更に折り返した３ｃの先端係止部分を形成したものである。【００３５】  配設する始点側は、丸鋼をＵ字形状に曲げ加工し、その両端をリング状に曲げ加工した５ａのリング部を形成して、そのＵ字形状の丸鋼を足場の支柱である８の足場の縦柱を巻き込むようにＪ字形状に折り返し、５ａのリング状に曲げ加工した両端部分は、２の接続用金具Ａの両外側を通過する幅で、先端に向けての５ｂのアール部分で２の接続用金具Ａの両内側を通過するように狭めた幅とし、先端部分は、２の接続用金具のＬ字形状に折り返された２ａの先端係止部分に係合させるように、更に折り返した５ｃの先端係止部分を形成した５の始端側金具と、丸鋼の棒状体の上部に７ａのリングを設けた７の端部保持用ピンを使用する。【００３６】  配設した終点側は、丸鋼をＵ字形状に曲げ加工し、その両端をリング状に曲げ加工した６ａのリング部を形成して、３の接続用金具Ｂの３ｃの先端係止部分と係合する６ｂの先端係止部分を持ち、３の接続用金具Ｂの３ａの直線部分の両外側を通過する幅を形成した６の終端側金具と、丸鋼の棒状体の上部に７ａのリングを設けた７の端部保持用ピンを使用する。【００３７】  配設完了後、終点側に取り付けられた７の端部保持用ピンを６の終端側金具から、抜脱不能に保合一体させるように１１の両止南京錠を使用することで、取り外す事が出来なくなる。【００３８】  本考案の足場用巾木は、前記１の巾木、２の接続用金具Ａ、３の接続用金具Ｂ、４のバネ体により構成されており、５の始端側金具、６の終端側金具、７の端部保持用ピン、１１の両止南京錠を具備するものである。【００３９】  取り付け方法は、足場用巾木の１ａの側端面に取り付けられた２の接続用金具Ａを、足場の支柱である８の足場の縦柱に係止し、１ｂの他側端面に取り付けられた４のバネ体により２の接続用金具Ａ側に付勢されている３の接続用金具Ｂを図９（ａ）に示すように引き出し、隣接している足場の支柱である８の足場の縦柱に係止する。【００４０】  続けて配設していく場合は、図９（ｂ）に示すように、上記手順で配設されている足場用巾木と足場の支柱である８の足場の縦柱の間に、次に配設しようとする足場用巾木の１ａの側端面に取り付けられた２の接続用金具Ａを、すでに足場の支柱である８の足場の縦柱に係止されている３の接続用金具Ｂの３ａの直線部分の両内側を通過するように差し込み、２の接続用金具ＡのＬ字形状に折り返された２ａの先端係止部分が、３の接続用金具Ｂの３ｂのアール部分の両外側及び、先端の折り返した３ｃの先端係止部分を介して、足場の支柱である８の足場の縦柱を巻き込むように、足場用巾木を引き戻す。【００４１】  図９（ｃ）に示すように、前記手順で引き戻した足場用巾木の１ｂの他側端面に４のバネ体により２の接続用金具Ａ側に付勢されている３の接続用金具Ｂを引き出し、連接している足場の支柱である８の足場の縦柱に係止する事により、３の接続用金具Ｂの３ｃの先端係止部分と、次に配設した足場用巾木の２の接続用金具Ａの２ａの先端係止部分が図９（ｄ）に示すように、足場の支柱で��る８の足場の縦柱を互いに絡み合い巻き込むように係合一体化し保持され、連結して一列配設する。【００４２】  始点側の保持方法は、図５（ａ）、（ｂ）に示すように、５の始端側金具の５ｃの先端係止部分を、すでに配設されている足場用巾木の始点側の足場の支柱である８の足場の縦柱に係止されている２の接続用金具Ａの２ａの先端係止部分の両内側を通して、２ａの先端係止部分と係合し、足場の支柱である８の足場の縦柱を巻き込むように取り付け、２の接続用金具Ａの両外側を通過するように取り付け、５の始端側金具の両先端の５ａのリング部に、７の端部保持用ピンを差し込み保持する。【００４３】  終点側の保持方法は、図７（ａ）、（ｂ）に示すように、６の終端側金具を、すでに配設されている足場用巾木の終点側の足場の支柱である８の足場の縦柱に係止されている３の接続用金具Ｂの３ｃの先端係止部分に６の終端側金具の６ｂの先端係止部分を係合し、足場の支柱である８の足場の縦柱とすでに配設されている足場用巾木の間に差し込み、３の接続用金具Ｂの３ａの直線部分の両外側を通過するように取り付け、６の終端側金具の両先端の６ａのリング部に、７の端部保持用ピンを差し込み保持する。【００４４】  上記手順により、本考案の足場用巾木を連結して一列配設することにより、順次、足場用巾木の３の接続用金具Ｂを、次に配設する足場用巾木の２の接続用金具Ａが足場の支柱である８の足場の縦柱に係合一体化されて保持される為、中間での取り外しは出来なくなり、取り外しする場合は、終点側から順次取り外すことなる。【００４５】  例えば、図８（ａ）、（ｂ）に示すように、６の終端側金具の６ａのリング部に差し込まれた７の端部保持用ピンの７ａのリングと、１１の両止南京錠の１１ａの施錠係止により３の接続用金具Ｂの３ａの直線部分を係合すると共に施錠し管理することで妄りに取り外しが出来ず、管理の元でしか、取り外す事が出来ない。
【符号の説明】
【００４６】  １    長方形板からなる巾木
１ａ  該巾木の側端面
１ｂ  該巾木の他側端面
２    接続用金具Ａ
２ａ  該接続用金具Ａの先端係止部分
３    接続用金具Ｂ
３ａ  該接続用金具Ｂの直線部分
３ｂ  該接続用金具Ｂのアール部分
３ｃ  該接続用金具Ｂの先端係止部分
４    バネ体
５    始端側金具
５ａ  該始端側金具の両先端のリング部
５ｂ  該始端側金具のアール部分
５ｃ  該始端側金具の先端係止部分
６    終端側金具
６ａ  該終端側金具の両先端のリング部
６ｂ  該終端側金具の先端係止部分
７    端部保持用ピン
７ａ  該端部保持用ピンの上部に設けたリング
８    足場の縦柱
９    鋼製足場板
１０    ストッパー
１１    両止南京錠
１１ａ  該両止南京錠鍵の施錠係止部
【図１】
0003166687.tif 000003
【図２】
0003166687.tif 000004
【図３】
0003166687.tif 000005
【図４】
0003166687.tif 000006
【図５】
0003166687.tif 000007
【図６】
0003166687.tif 000008
【図７】
0003166687.tif 000009
【図８】
0003166687.tif 000010
【図９】
0003166687.tif 000011